【手続補正書】
【提出日】平成25年8月12日(2013.8.12)
【手続補正１】
【補正対象書類名】特許請求の範囲
【補正対象項目名】全文
【補正方法】変更
【補正の内容】
【特許請求の範囲】
【請求項１】
メタン、Ｃ２成分、Ｃ３成分およびより重質の炭化水素成分を含有するガスストリームを、揮発性の残留ガス画分と、前記Ｃ２成分、前記Ｃ３成分および前記より重質の炭化水素成分、あるいは前記Ｃ３成分および前記より重質の炭化水素成分の大部分を含有する揮発性が比較的低い画分とに分離するためのプロセスにおいて、
（ａ）前記ガスストリームを圧力下で冷却して、冷却されたストリームを提供し、
（ｂ）前記冷却されたストリームをより低い圧力まで膨張させて、それにより、さらに冷却し、
（ｃ）前記さらに冷却されたストリームを蒸留カラムに導き、前記より低い圧力で分留して、それにより、前記揮発性が比較的低い画分の前記成分を回収し、
改良として、前記冷却されたストリームを、冷却後に第１ストリームと第２のストリームとに分割し、
（１）前記第１のストリームを冷却して、前記第１のストリームの実質的にすべてを凝縮させ、
（２）前記実質的に凝縮した第１のストリームを、少なくとも第１の凝縮部分と第２の凝縮部分とに分割し、
（３）前記第１の凝縮部分を前記より低い圧力まで膨張させ、それによりさらに冷却し、その後、上側中央カラムフィード位置において前記蒸留カラムに供給し、
（４）前記第２の凝縮部分を前記より低い圧力まで膨張させ、それによりさらに冷却し、加熱し、その後、前記上側中央カラムフィード位置において前記蒸留カラムに供給し、
（５）前記第２のストリームを前記より低い圧力まで膨張させ、前記上側中央カラムフィード位置より下の中央カラムフィード位置において前記蒸留カラムに供給し、
（６）前記蒸留カラムの上側領域からオーバーヘッド蒸気ストリームを抜き取り、少なくとも第１の部分と第２の部分とに分割し、
（７）前記第２の蒸気部分を加熱し、その後、前記加熱された第２の蒸気部分の少なくとも一部を前記揮発性残留ガス画分として排出し、
（８）前記上側中央カラムフィード位置よりも下で、前記中央カラムフィード位置よりも上の前記蒸留カラムの領域から、蒸留蒸気ストリームを抜き取り、前記第１の蒸気部分と合流させて合流蒸気ストリームを形成し、
（９）前記合流蒸気ストリームをより高い圧力まで圧縮し、
（１０）前記圧縮した合流蒸気ストリームを十分に冷却して少なくとも一部を凝縮させ、それにより、前記ステップ（４）および（７）の加熱の少なくとも一部を供給しながら凝縮したストリームを形成し、
（１１）前記凝縮したストリームの少なくとも一部を前記より低い圧力まで膨張させ、その後、頂部フィード位置において前記蒸留カラムに供給し、
（１２）前記蒸留カラムへの前記フィードストリームの前記量および温度が、前記蒸留カラムの前記オーバーヘッド温度を一定の温度に維持するために有効であり、それにより、前記揮発性が比較的低い画分中の前記成分の大部分を回収する、
プロセス。
【請求項２】
冷却の前に、前記ガスストリームを、前記第１ストリームと前記第２のストリームとに分割すし、
前記第２のストリームを冷却し、その後、前記より低い圧力まれ膨張させ、前記中央カラムフィードにおいて前記蒸留カラムに供給する、
請求項１に記載のプロセス。
【請求項３】
前記ガスストリームを十分に冷却して部分的に凝縮させ、
（ａ）前記部分的に凝縮したガスストリームを分離し、それにより、蒸気ストリームおよび少なくとも１つの液体ストリームを提供し、
（ｂ）その後、前記蒸気ストリームを、前記第１のストリームと前記第２のストリームとに分割し、
（ｃ）前記少なくとも１つの液体ストリームの少なくとも一部を前記より低い圧力まで膨張させ、前記中央カラムフィード位置より下の下側中央カラムフィード位置において前記蒸留カラムに供給する、
請求項１に記載のプロセス。
【請求項４】
（ａ）前記第２のストリームを圧力下で十分に冷却して部分的に凝縮させ、
（ｂ）前記部分的に凝縮した第２のストリームを分離し、それにより、蒸気ストリームおよび少なくとも１つの液体ストリームを提供し、
（ｃ）前記蒸気ストリームを前記より低い圧力まで膨張させ、前記中央カラムフィード位置において前記蒸留カラムに供給し、
（ｄ）前記少なくとも１つの液体ストリームの少なくとも一部を前記より低い圧力まで膨張させ、前記中央カラムフィード位置より下の下側中央カラムフィード位置において前記蒸留カラムに供給する、
請求項２に記載のプロセス。
【請求項５】
（ａ）前記少なくとも１つの液体ストリームの少なくとも一部と前記第１のストリームを合流させて合流ストリームを形成し、その後、前記合流ストリームを冷却して実質的に全てを凝縮させ、
（ｂ）前記実質的に凝縮した合流ストリームを少なくとも前記第１の凝縮部分と前記第２の凝縮部分とに分割し、
（ｃ）前記少なくとも１つの液体ストリームのいずれかの残りの部分を前記より低い圧力まで膨張させ、前記下側中央カラムフィード位置において前記蒸留カラムに供給する、
請求項３に記載のプロセス。
【請求項６】
（ａ）前記第１の凝縮部分を前記より低い圧力まで膨張させ、その後、追加的オーバーヘッド蒸気ストリームおよび底部液体ストリームを生成する接触および分離デバイスに中央カラムフィード位置において供給し、その後、前記蒸留カラムに前記底部液体ストリームを供給し、
（ｂ）前記第２の凝縮部分を前記より低い圧力まで膨張させ、加熱し、その後、前記中央カラムフィード位置において前記接触および分離デバイスに供給し、
（ｃ）前記第２のストリームを前記より低い圧力まで膨張させ、前記中央カラムフィード位置より下の第１の下側カラムフィード位置において前記接触および分離デバイスに供給し、
（ｄ）前記蒸留カラムの上側領域から前記オーバーヘッド蒸気ストリームを抜き取り、前記中央カラムフィード位置より下の第２の下側カラムフィード位置において前記接触および分離デバイスに供給し、
（ｅ）前記追加的オーバーヘッド蒸気ストリームを、前記第１の蒸気部分と前記第２の蒸気部分とに分割し、
（ｆ）前記中央カラムフィード位置よりも下で、前記第１の下側カラムフィード位置および第２の下側カラムフィード位置よりも上の前記接触および分離デバイスの領域から、蒸留蒸気ストリームを抜き取り、前記第１の蒸気部分と合流させて前記合流蒸気ストリームを形成し、
（ｇ）前記圧縮した合流蒸気ストリームを十分に冷却して少なくとも一部を凝縮させ、それにより、前記ステップ（ｂ）および（７）の加熱の少なくとも一部を供給する間、凝縮したストリームを形成し、
（ｈ）前記凝縮したストリームの少なくとも一部を前記より低い圧力まで膨張させ、その後、頂部フィード位置において前記接触および分離デバイスに供給し、
（ｉ）前記接触および分離デバイスへの前記フィードストリームの前記量および温度が、前記接触および分離デバイスの前記オーバーヘッド温度を一定の温度に維持するために有効であり、それにより、前記比較的揮発性の低い画分の前記成分の大部分を回収する、
請求項１に記載のプロセス。
【請求項７】
冷却の前に、前記ガスストリームを第１のストリームと第２のストリームとに分割し、
前記第２のストリームを冷却し、その後、前記より低い圧力まで膨張させ、前記第１の下側カラムフィード位置において前記接触および分離デバイスに供給する、
請求項６に記載のプロセス。
【請求項８】
前記ガスストリームを十分に冷却して部分的に凝縮させ、
（ａ）前記部分的に凝縮したガスストリームを分離し、それにより、蒸気ストリームおよび少なくとも１つの液体ストリームを提供し、
（ｂ）その後、前記蒸気ストリームを前記第１のストリームと前記第２のストリームとに分割し、
（ｃ）前記少なくとも１つの液体ストリームの少なくとも一部を前記より低い圧力まで膨張させ、中央カラムフィード位置において前記蒸留カラムに供給する、
請求項６に記載のプロセス。
【請求項９】
（ａ）前記第２のストリームを圧力下にて十分に冷却して部分的に凝縮させ、
（ｂ）前記部分的に凝縮した第２のストリームを分離し、それにより、蒸気ストリームおよび少なくとも１つの液体ストリームを提供し、
（ｃ）前記蒸気ストリームを前記より低い圧力まで膨張させ、前記第１の下側カラムフィード位置において前記接触および分離デバイスに供給し、
（ｄ）前記少なくとも１つの液体ストリームの少なくとも一部を前記より低い圧力まで膨張させ、中央カラムフィード位置において前記蒸留カラムに供給する、
請求項７に記載のプロセス。
【請求項１０】
（ａ）前記少なくとも１つの液体ストリームの少なくとも一部と前記第１のストリームを合流させて合流ストリームを形成し、その後、前記合流ストリームを冷却して実質的に全てを凝縮させ、
（ｂ）前記実質的に凝縮した合流ストリームを少なくとも前記第１の凝縮部分と前記第２の凝縮部分とに分割し、
（ｃ）前記少なくとも１つの液体ストリームのいずれかの残りの部分を前記より低い圧力まで膨張させ、前記中央カラムフィード位置において前記蒸留カラムに供給する、
請求項８に記載のプロセス。
【請求項１１】
前記頂部フィード位置より下であり、前記上側中央カラムフィード位置よりも上の前記蒸留カラムの領域から前記蒸留蒸気ストリームを抜き取る、請求項１、２、３、４または５に記載の改良。
【請求項１２】
前記中央カラムフィード位置より下の前記蒸留カラムの領域から前記蒸留蒸気ストリームを抜き取る、請求項１、２、３、４、または５に記載の改良。
【請求項１３】
前記頂部フィード位置より下であり、前記中央カラムフィード位置より上の前記接触および分離デバイスの領域から前記蒸留蒸気ストリームを抜き取る、請求項６、７、８、９または１０に記載の改良。
【請求項１４】
前記オーバーヘッド蒸気ストリームを前記蒸留蒸気ストリームと追加的蒸留蒸気ストリームとに分割し、その後、前記追加的蒸留蒸気ストリームを、前記第２の下側カラムフィード位置において前記接触および分離デバイスに供給する、請求項６、７、８、９または１０に記載の改良。
【請求項１５】
前記加熱され膨張した第２の凝縮部分を、追加的上側中央カラムフィード位置において前記蒸留カラムに供給する、請求項１、２、３、４、５、１１または１２に記載の改良。
【請求項１６】
前記加熱され膨張した第２の凝縮部分を、追加的中央カラムフィード位置において前記接触および分離デバイスに供給する、請求項６、７、８、９、１０、１３または１４に記載の改良。